(57)【要約】      （修正有）【課題】複数の衛星中間周波信号を１本の伝送線路で大きな損失が生じることなく、比較的簡単な構成で伝送する。【解決手段】入力端子６の信号からＢＳ−ＩＦ信号をローパスフィルタ６４が抽出する。入力端子１４、１６、１８、２０に供給されているＪ３−Ｖ・ＣＳ−ＩＦ信号、Ｊ３−Ｈ・ＣＳ−ＩＦ信号、Ｊ４−Ｖ・ＣＳ−ＩＦ信号、Ｊ４−Ｈ・ＣＳ−ＩＦ信号のうち切換回路６８によって選択された１つと、ローパスフィルタ６４からのＢＳ−ＩＦ信号とが混合器５６で混合される。入力端子６からのＢＳ−ＩＦ信号及び１１０度ＣＳ−ＩＦ信号と、混合器５６の混合信号のうち一方を切換スイッチ４８が選択して、出力端子２２に出力する。切換スイッチ４８と切換回路６８の切換は、出力端子２２に供給される直流電圧の有無、直流電圧の大きさ、パルス信号の有無に基づいて行われる。【選択図】図１
2008034933.tif 000002
【特許請求の範囲】
【請求項１】
第１の周波数帯を持つ第１衛星中間周波信号を含み、第１の周波数帯とは異なりそれぞれが同一または少なくとも一部で重なる第２の周波数帯を持つ少なくとも２つの第２衛星中間周波信号のうち１つを含む第１混合信号が供給される第１入力端子と、
前記少なくとも２つの第２衛星中間周波信号の他のものが供給される少なくとも１つの第２入力端子と、
第１の入力端子の第１混合信号から第１衛星中間周波信号を抽出する抽出手段と、
少なくとも１つの第２入力端子からの他の第２衛星中間周波信号と前記抽出手段からの第１衛星中間周波信号とを混合して、第２混合信号を生成する混合手段と、
第１の入力端子からの第１混合信号と前記混合手段の第２混合信号とが供給され、第１及び第２混合信号の一方を選択して、出力端子に供給する第１選択手段とを、
具備する衛星信号切換装置。
【請求項２】
請求項１記載の衛星信号切換装置において、前記出力端子が複数設けられ、前記混合手段と第１選択手段とが、互いに且つ前記出力端子に対応して設けられ、前記各混合手段には前記他の第２衛星中間周波信号が供給され、第１入力端子からの第１混合信号が前記各第１選択手段に供給され、前記各混合手段の第２混合信号は、対応する第１選択手段に供給され、各第１選択手段の出力信号は、対応する前記出力端子に供給される衛星信号切換装置。
【請求項３】
請求項１記載の衛星信号切換装置において、前記他の第２衛星中間周波信号は、２以上であって、各他の第２衛星中間周波信号は、これらに対応して設けられた他の第２入力端子に供給され、これら他の第２入力端子からの各他の第２衛星中間周波信号は、第２選択手段に供給され、この第２選択手段で選択された１つの他の第２衛星中間周波信号が前記混合手段に供給される衛星信号切換装置。
【請求項４】
請求項３記載の衛星信号切換装置において、前記出力端子が複数設けられ、前記混合手段、第１及び第２選択手段が、互いに対応して且つ前記各出力端子に対応して複数設けられ、各第２選択手段には、各他の第２衛星中間周波信号が供給され、各第２選択手段の出力信号は、対応する前記混合手段に供給され、前記抽出手段からの第１衛星中間周波信号が前記各混合手段に供給され、各混合手段からの第２混合信号は、対応する第１選択手段に供給され、各第１選択手段には第１混合信号がそれぞれ供給され、各第１選択手段の出力信号は、対応する前記出力端子に供給される衛星信号切換装置。
【請求項５】
請求項４記載の衛星信号切換装置において、第１及び第２の選択手段の切換は、前記出力端子に供給された制御信号によって行われ、この制御信号は、重畳電圧とパルス信号とからなり、前記重畳電圧が不存在のとき、第１選択手段が第１混合信号を選択し、前記重畳電圧が存在するとき、第１選択手段が第２混合信号を選択し、前記重畳電圧の値の相違と前記パルス信号の存在及び不存在との組合せによって、前記複数の他の第２衛星中間周波信号の１つを第２選択手段が選択する衛星信号切換装置。
【請求項６】
請求項１乃至５いずれか記載の衛星信号切換装置において、前記第１混合信号に地上テレビジョン放送信号が混合されている衛星信号切換装置。
【請求項７】
第１衛星中間周波信号と前記１つの第２衛星中間周波信号を生成する第１周波数変換手段と、
前記他の各第２衛星中間周波信号を生成する複数の第２周波数変換手段と、
請求項３乃至５いずれか記載の衛星信号切換装置と、
前記衛星信号切換装置の複数の出力端子に対応して設けられた第１及び各第２衛星中間周波信号を復調する複数の復調手段とを、
具備し、第１周波数変換手段からの第１衛星中間周波信号と前記１つの衛星中間周波信号とが、前記衛星信号切換装置の第１入力端子に供給され、前記複数の第２周波数変換手段からの他の第２衛星中間周波信号が前記衛星信号切換装置の複数の第２入力端子に供給され、前記衛星信号切換装置の各出力端子と各復調手段とが、それぞれ１本の伝送線路で接続された衛星信号受信システム。
【発明の詳細な説明】
【技術分野】
【０００１】
本発明は、複数の衛星中間周波信号のうち伝送線路に出力するものを切り換える衛星信号切換装置と、この切換装置を使用した衛星信号受信システムに関する。
【背景技術】
【０００２】
従来、上記のような衛星信号切換装置を使用した衛星信号受信システムには、例えば特許文献１に開示されているようなものがある。この技術では、第１の衛星通信受信用アンテナに付属するコンバータが周波数帯がほぼ同一の第１の垂直偏波中間周波信号と第１の水平偏波中間周波信号とを出力する。同様に第２の衛星通信受信用アンテナに付属するコンバータが、第１の垂直及び水平偏波中間周波信号とほぼ同一周波数帯の第２の垂直及び水平偏波中間周波信号を出力する。第１の垂直及び水平偏波中間周波信号のいずれか一方が、衛星信号切換器によって選択される。第２の垂直及び水平偏波中間周波信号のいずれか一方が別の衛星信号切換器によって選択される。これら２つの衛星信号切換器の出力のいずれか一方が、トーン切換器によって選択され、１本の伝送線路を介してレシーバに供給され、復調されて、テレビ受信機に供給される。従って、２つの衛星信号切換器及びトーン切換器を適切に制御することによって、第１の垂直及び水平偏波中間周波信号と、第２の垂直及び水平偏波中間周波信号の合計４波のうち選択された１波をテレビジョン受信機に供給できる。一方、衛星放送受信用アンテナに付属するコンバータが衛星放送中間周波信号を出力し、これは別の伝送線路を介してテレビジョン受信機に供給される。従って、テレビジョン受信機において、衛星放送及び４波の衛星通信の視聴が可能となる。
【０００３】
【特許文献１】特開平１１−２９８８１１号公報
【発明の開示】
【発明が解決しようとする課題】
【０００４】
特許文献１の技術では、衛星放送中間周波信号と、衛星通信中間周波信号とは、別の伝送線路を介して伝送されている。そのため、テレビジョン受信機を設置してある部屋まで２本の伝送線路を敷設しなければならず、敷設作業が面倒である。特に、上記の説明では、１台のテレビジョン受信機への伝送についてのみ説明したが、実際には、複数台のテレビジョン受信機へ伝送することが多いので、各テレビジョン受信機ごとに２本の伝送線路を敷設しなければならず、益々敷設作業が面倒になる。或いは、第１の垂直及び水平偏波中間周波信号、第２の垂直及び水平偏波中間周波信号を、衛星放送中間周波信号と異なる周波数帯に周波数変換すると、１本の伝送線路で伝送することも可能となる。しかし、第１及び第２の垂直及び水平偏波中間周波信号を、東経１２８度に打ち上げられた通信衛星Ｊ３と、東経１２４度に打ち上げられた通信衛星Ｊ４とからの衛星通信とした場合、東経１１０度に打ち上げられた通信衛星１１０度ＣＳからの送信も行われており、それの中間周波信号の周波数帯は、第１及び第２の垂直及び水平偏波中間周波信号と重なっている。そのため、１本の伝送線路で、これらを全て伝送する場合、第１及び第２の垂直及び水平偏波中間周波信号を、通信衛星１１０度ＣＳからの衛星通信の中間周波信号よりも高い周波数帯に周波数変換する必要があり、そのための周波数変換手段が必要な上に、高い周波数に変換していることにより伝送線路における損失が大きくなる。
【０００５】
本発明は、複数の衛星中間周波信号を１本の伝送線路で大きな損失が生じることなく、比較的簡単な構成で伝送することが可能な衛星信号切換装置及びこの切換装置を使用した衛星信号受信システムを提供することを目的とする。
【課題を解決するための手段】
【０００６】
本発明の一態様の衛星信号切換装置は、第１の入力端子を有している。第１の入力端子には、第１混合信号が供給される。第１混合信号は、第１の周波数帯を持つ第１衛星中間周波信号を含む。更に第１混合信号は、第１の周波数帯とは異なりそれぞれが同一または少なくとも一部で重なる第２の周波数帯を持つ少なくとも２つの第２衛星中間周波信号のうち一つを含んでいる。この衛星信号切換装置は、少なくとも２つの第２衛星中間周波信号の他のものが供給される少なくとも１つの第２入力端子も有している。例えば第１衛星中間周波信号としては、例えば東経１１０度に打ち上げられている放送衛星からの衛星放送信号を衛星放送受信アンテナで受信し、このアンテナに付属する衛星放送用周波数変換手段で周波数変換した衛星放送中間周波信号を使用することができる。第２衛星中間周波信号の１つとしては、放送衛星と同じ東経１１０度にある通信衛星から送信された１１０度衛星通信信号を、上記衛星放送受信アンテナで受信し、これに付属する東経１１０度衛星通信用コンバータで周波数変換した東経１１０度衛星通信中間周波信号を使用することができる。他の第２衛星中間周波信号としては、東経１２４度、１２８度にそれぞれ打ち上げられている２基の通信衛星からそれぞれ送信されている垂直及び水平偏波の衛星通信信号をそれぞれ衛星通信受信アンテナで受信し、これらにそれぞれ２台づつ設けられている垂直及び水平偏波用周波数変換手段で周波数変換された４波の垂直及び水平衛星通信中間周波信号のうちの少なくとも１つである。第１の入力端子の第１混合信号から抽出手段が、第１衛星中間周波信号を抽出する。この抽出手段としては、例えばフィルタを使用することができる。少なくとも１つの第２入力端子からの他の第２衛星中間周波信号と前記抽出手段からの第１衛星中間周波信号とを混合手段が、混合して、第２混合信号を生成する。第１の入力端子からの第１混合信号と前記混合手段の第２混合信号とが第１選択手段に供給され、第１及び第２混合信号の一方を選択して、出力端子に供給する。第１選択手段による第１及び第２の混合信号の選択は、例えば出力端子に供給された制御信号に基づいて行われる。例えば、一定の電圧が供給されている場合には、第２混合信号を選択し、無電圧の場合には、第１混合信号を選択する。
【０００７】
このように構成された衛星信号切換装置によれば、出力端子には、第１混合信号または第２混合信号が供給される。第１混合信号は、第１衛星中間周波信号と、一つの第２衛星中間周波信号であり、これらの周波数帯は、第１及び第２周波数帯と異なるものであるので、出力端子に接続された１本の伝送線路によって伝送することができる。また、第２混合信号は、第１衛星中間周波信号と、他の第２衛星中間周波信号であり、これらの周波数帯も、第１及び第２周波数帯と異なるものであるので、出力端子に接続された１本の伝送線路によって伝送することができる。従って、１本の伝送線路を介して複数の衛星放送中間周波信号を伝送することができる。しかも、各第２衛星中間周波信号の周波数帯は、同一もしくは一部で重複している状態そのままであるので、特別な周波数変換手段は不要であるし、伝送線路での損失も大きくならない。
【０００８】
前記出力端子を複数設けることができる。この場合、前記混合手段と第１選択手段とが、互いに且つ前記出力端子に対応して設けられる。各混合手段には前記他の第２衛星中間周波信号が供給される。第１入力端子からの第１混合信号が前記各第１選択手段に供給される。各混合手段からの第２混合信号は、対応する第１選択手段に供給され、各第１選択手段の出力信号は、対応する出力端子に供給される。なお、この場合、各第１選択手段における第１及び第２混合信号の選択は、互いに独立して行うことが望ましい。
【０００９】
このように構成すると、各出力端子に、第１及び第２混合信号のうち選択されたものを出力することができる。従って、多数のテレビジョン受信機のような受信手段に複数の衛星中間周波信号を伝送する場合でも、伝送線路の数を減少させることができ、敷設作業を容易にすることができる。
【００１０】
前記他の第２衛星中間周波信号を、２以上とすることができる。例えば上述した４波の垂直及び水平衛星通信中間周波信号とすることができる。各他の第２衛星中間周波信号は、これらに対応して設けられた他の第２入力端子に供給されている。これら他の第２入力端子からの各他の第２衛星中間周波信号は、第２選択手段に供給される。この第２選択手段で選択された１つの他の第２衛星中間周波信号が前記混合手段に供給される。
【００１１】
このように構成すると、第２混合信号に含まれる他の第２衛星中間周波信号を、第２選択手段における選択によって異なるものとすることができ、多くの衛星中間周波信号を１本の伝送線路で伝送することができる。
【００１２】
更に、複数の出力端子を設けることもできる。この場合、前記混合手段、第１及び第２選択手段が、互いに対応して且つ前記各出力端子に対応して複数設けられる。各第２選択手段には、各他の第２衛星中間周波信号が供給される。各第２選択手段の出力信号は、対応する前記混合手段に供給される。前記抽出手段からの第１衛星中間周波信号が前記各混合手段に供給される。各混合手段からの第２混合信号は、対応する第１選択手段に供給される。各第１選択手段には第１混合信号がそれぞれ供給される。各第１選択手段の出力信号は、対応する前記出力端子に供給される。
【００１３】
このように構成すると、各出力端子に出力される他の第２衛星中間周波信号を異なるものとすることができ、多数の受信手段に複数の衛星中間周波信号を伝送する場合でも、伝送線路の数を減少させることができ、敷設作業を容易にすることができる。
【００１４】
さらに、第１及び第２の選択手段の切換は、前記出力端子に供給された制御信号によって行うことができる。この制御信号は、重畳電圧とパルス信号とからなる。前記重畳電圧が不存在のとき、第１選択手段が第１混合信号を選択し、前記重畳電圧が存在するとき、第１選択手段が第２混合信号を選択する。前記重畳電圧の値の相違と前記パルス信号の存在及び不存在との組合せによって、前記複数の他の第２衛星中間周波信号の１つを第２選択手段が選択する。
【００１５】
このように構成すると、出力端子に、例えば受信手段側から、受信手段に供給される第２衛星中間周波信号を変更することができる。
【００１６】
前記第１混合信号に地上テレビジョン放送信号を混合することもできる。
【００１７】
本発明による衛星信号受信システムは、第１衛星中間周波信号と１つの第２衛星中間周波信号とを生成する第１周波数変換手段と、前記他の各第２衛星中間周波信号を生成する複数の第２周波数変換手段と、上述した複数の出力端子を有するいずれかの衛星信号切換装置と、前記衛星信号切換装置の複数の出力端子に対応して設けられた第１及び各第２衛星中間周波信号を復調する複数の復調手段とを、具備している。第１周波数変換手段からの第１衛星中間周波信号と１つの第２衛星中間周波信号とが、前記衛星信号切換装置の第１入力端子に供給される。複数の第２周波数変換手段からの前記複数の他の第２衛星中間周波信号が前記衛星信号切換装置の複数の第２入力端子に供給される。前記衛星信号切換装置の各出力端子と各復調手段とが、それぞれ１本の伝送線路で接続されている。
【００１８】
このように構成すると、複数の受信手段にそれぞれ１本の伝送線路で、複数の衛星中間周波信号を伝送することができる。
【発明の効果】
【００１９】
以上のように、本発明によれば、複数の衛星中間周波信号を１本の伝送線路によって伝送することができる。
【発明を実施するための最良の形態】
【００２０】
本発明の第１の実施形態の衛星信号受信システムは、図２に示すように、衛星信号切換装置２を有している。
【００２１】
この衛星信号切換装置２には、混合手段、例えば混合器４から第１の混合信号が第１の入力端子、例えば入力端子６に供給されている。混合器４には、第１周波数変換手段、例えば衛星放送及び１１０度ＣＳ受信アンテナ８に付属するコンバータ８ａからそれぞれ出力される、第１衛星中間周波信号、例えば衛星放送中間周波信号（以下ＢＳ−ＩＦ信号と称する。）と、１つの第２衛星中間周波信号、例えば１１０度衛星通信中間周波信号（以下１１０度ＣＳ−ＩＦ信号と称する。）とが、供給されている。ＢＳ−ＩＦ信号は、第１の周波数帯、例えば１０３２乃至１３３６ＭＨｚの周波数帯を有し、１１０度ＣＳ−ＩＦ信号は、第２の周波数帯、例えば１５７２乃至２０７２ＭＨｚの周波数帯を有している。両者の周波数帯は、重なっていない。
【００２２】
混合器４には、地上波テレビジョン放送受信アンテナ１０で受信された地上波ＵＨＦ帯及びＶＨＦ帯テレビジョン放送信号も供給されている。地上波ＶＨＦ帯テレビジョン放送信号は９０乃至２２２ＭＨｚの周波数帯を有し、地上波ＵＨＦ帯テレビジョン放送信号は４７０乃至７７０ＭＨｚの周波数帯を有し、ＢＳ−ＩＦ信号及び１１０度ＣＳ−ＩＦ信号とは、異なる周波数帯である。これらＢＳ−ＩＦ信号、１１０度ＣＳ−ＩＦ信号、ＵＨＦ帯テレビジョン放送信号、ＶＨＦ帯テレビジョン放送信号が、混合器４によって混合され、第１混合信号とされ、入力端子６に供給されている。
【００２３】
衛星信号切換装置２には、第２周波数変換手段、例えば衛星通信受信アンテナ１２に付属するコンバータ１２ａ、１２ｂからそれぞれ出力される他の第２衛星中間周波信号も供給されている。他の第２衛星中間周波信号は、東経１２８度の位置にある通信衛星Ｊ３から送信された垂直偏波及び水平偏波の衛星通信信号をコンバータ１２ａで周波数変換した垂直偏波衛星通信中間周波信号（以下Ｊ３−Ｖ・ＣＳ−ＩＦ信号と称する。）と水平偏波衛星通信中間周波信号（以下Ｊ３−Ｈ・ＣＳ−ＩＦ信号と称する。）とを含んでいる。Ｊ３−Ｖ・ＣＳ−ＩＦ信号が、第２の入力端子、例えば入力端子１４に供給され、Ｊ３−Ｈ・ＣＳ−ＩＦ信号が、第２の入力端子、例えば入力端子１６に供給されている。
【００２４】
更に、他の第２衛星中間周波信号は、東経１２４度の位置にある通信衛星Ｊ４から送信された垂直偏波及び水平偏波の衛星通信信号をコンバータ１２ｂで周波数変換した垂直偏波衛星通信中間周波信号（以下Ｊ４−Ｖ・ＣＳ−ＩＦ信号と称する。）と水平偏波衛星通信中間周波信号（以下Ｊ４−Ｈ・ＣＳ−ＩＦ信号と称する。）も含んでいる。Ｊ４−Ｖ・ＣＳ−ＩＦ信号が、第２の入力端子、例えば入力端子１８に供給され、Ｊ４−Ｈ・ＣＳ−ＩＦ信号が、第２の入力端子、例えば入力端子２０に供給されている。
【００２５】
Ｊ３−Ｖ・ＣＳ−ＩＦ信号とＪ３−Ｈ・ＣＳ−ＩＦ信号は、１１０度ＣＳ−ＩＦ信号と同じ１５７２乃至２０７２ＭＨｚの周波数帯を持ち、Ｊ４−Ｖ・ＣＳ−ＩＦ信号とＪ４−Ｈ・ＣＳ−ＩＦ信号は、１１０度ＣＳ−ＩＦとＪ３−Ｖ・ＣＳ−ＩＦ信号とＪ３−Ｈ・ＣＳ−ＩＦ信号と一部で重複する１８２２乃至２０７２ＭＨｚの周波数帯を持っている。
【００２６】
衛星信号切換装置２は、ＶＨＦ帯テレビジョン放送信号、ＵＨＦ帯テレビジョン放送信号、ＢＳ−ＩＦ信号及び１１０度ＣＳ−ＩＦ信号の組合せ、ＶＨＦ帯テレビジョン放送信号、ＵＨＦ帯テレビジョン放送信号、ＢＳ−ＩＦ信号及びＪ３−Ｖ・ＣＳ−ＩＦ信号の組合せ、ＶＨＦ帯テレビジョン放送信号、ＵＨＦ帯テレビジョン放送信号、ＢＳ−ＩＦ信号及びＪ３−Ｈ・ＣＳ−ＩＦ信号の組合せ、ＶＨＦ帯テレビジョン放送信号、ＵＨＦ帯テレビジョン放送信号、ＢＳ−ＩＦ信号及びＪ４−Ｖ・ＣＳ−ＩＦ信号の組合せ、またはＶＨＦ帯テレビジョン放送信号、ＵＨＦ帯テレビジョン放送信号、ＢＳ−ＩＦ信号及びＪ４−Ｈ・ＣＳ−ＩＦ信号の組合せのうち、いずれか選択された１つのもの（以下、選択組合せ信号と称する。）を、複数の出力端子、例えば４つの出力端子２２、２４、２６、２８に出力する。後述するように４つの出力端子２２、２４、２６、２８に出力される選択組合せ信号は、それぞれ異なった組合せのものとすることが可能である。
【００２７】
各出力端子２２、２４、２６、２８は、それぞれ１本の伝送線路、例えば同軸ケーブル３０を介して家屋の各部屋または集合住宅の各戸に設けた端末端子３２（図１では１つだけ示してある。）に接続される。同軸ケーブル３０を介して端末端子３２に供給された選択組合せ信号は、通電型２分配器３４によって２分配される。一方の分配出力は、分波器３６に供給され、ここで選択組合せ信号中の地上波ＵＨＦ帯及びＶＨＦ帯テレビジョン放送信号とＢＳ−ＩＦ信号とに分波され、受信手段、例えばＢＳデジタル内蔵テレビジョン受信機３８にそれぞれ供給される。これによって、地上波ＵＨＦ帯、ＶＨＦ帯のテレビジョン放送、衛星放送及び１１０度衛星通信が視聴される。分配器３４からの他方の分配出力は、復調手段、例えばＣＳデジタルチューナ４０に供給され、ここで復調されて、ＢＳデジタル内蔵テレビジョン受信機３８に供給され、上述した通信衛星Ｊ３、Ｊ４からの衛星通信信号のうち選択されたものがＢＳデジタル内蔵テレビジョン受信機３８で視聴される。
【００２８】
図１に示すように、衛星信号切換装置２の入力端子６からの第１混合信号は、直流阻止コンデンサ４２を介して分配手段、例えば２分配器４４に供給される。２分配器４４の一方の分配出力は、分配手段、例えば４分配器４６に供給され、さらに４分配される。
【００２９】
４分配器４６の各分配出力は、各出力端子２２、２４、２６、２８に対応して設けられた第１の選択手段、例えば切換スイッチ４８、５０、５２、５４の一方の接点４８ａ、５０ａ、５２ａ、５４ａに供給されている。切換スイッチ４８、５０、５２、５４は、接点４８ｂ、５０ｂ、５２ｂ、５４ｂと、接触子４８ｃ、５０ｃ、５２ｃ、５４ｃも有している。
【００３０】
切換スイッチ４８では、接触子４８ｃが接点４８ａ、４８ｂのいずれかに接触し、接点４８ａまたは４８ｂに供給されている信号を出力する。他の切換スイッチ５０、５２、５４においても同様である。
【００３１】
切換スイッチ４８、５０、５２、５４の接点４８ｂ、５０ｂ、５２ｂ、５４ｂには、これら切換スイッチ４８、５０、５２、５４に対応して設けられた混合手段、例えば混合器５６、５８、６０、６２からの第２混合信号が供給される。各混合器５６、５８、６０、６２には、４分配器４４の他方の分配出力である分配第１混合信号から抽出手段、例えばローパスフィルタ６４によって抽出した地上波ＵＨＦ帯及びＶＨＦ帯テレビジョン放送信号とＢＳ−ＩＦ信号とが、分配手段、例えば４分配器６６を介して供給されている。
【００３２】
入力端子１４に供給されたＪ３−Ｖ・ＣＳ−ＩＦ信号は、直流阻止コンデンサ６７を介して第２選択手段、例えば切換回路６８に供給され、入力端子１６に供給されたＪ３−Ｈ・ＣＳ−ＩＦ信号は、直流阻止コンデンサ７０を介して切換回路６８に供給され、入力端子１８に供給されたＪ４−Ｖ・ＣＳ−ＩＦ信号は、直流阻止コンデンサ７２を介して切換回路６８に供給され、入力端子２０に供給されたＪ４−Ｈ・ＣＳ−ＩＦ信号は、直流阻止コンデンサ７４を介して切換回路６８に供給される。
【００３３】
切換回路６８は、各混合器５６、５８、６０、６２に対応する出力端子を有し、これら出力端子には、後述するようにして、Ｊ３−Ｖ・ＣＳ−ＩＦ信号、Ｊ３−Ｈ・ＣＳ−ＩＦ信号、Ｊ４−Ｖ・ＣＳ−ＩＦ信号及びＪ４−Ｈ・ＣＳ−ＩＦ信号のうちいずれか選択された１つが出力される。出力されたＪ３−Ｖ・ＣＳ−ＩＦ信号、Ｊ３−Ｈ・ＣＳ−ＩＦ信号、Ｊ４−Ｖ・ＣＳ−ＩＦ信号またはＪ４−Ｈ・ＣＳ−ＩＦ信号は、これらを抽出可能な抽出手段、例えばハイパスフィルタ７６、７８、８０、８２を介して各混合器５６、５８、６０、６２に供給される。従って、各混合器５６、５８、６０、６２が出力する第２混合信号は、地上波ＵＨＦ帯及びＶＨＦ帯テレビジョン放送信号、ＢＳ−ＩＦ信号と、Ｊ３−Ｖ・ＣＳ−ＩＦ信号、Ｊ３−Ｈ・ＣＳ−ＩＦ信号、Ｊ４−Ｖ・ＣＳ−ＩＦ信号及びＪ４−Ｈ・ＣＳ−ＩＦ信号のうちいずれか選択された１つとを混合したものとなる。また、各切換スイッチ４８、５０、５２、５４から出力される信号は、この第２混合信号と、第１混合信号（ＢＳ−ＩＦ信号、１１０度ＣＳ−ＩＦ信号、地上波ＵＨＦ帯テレビジョン放送信号及びＶＨＦ帯テレビジョン放送信号の混合信号）とのうちいずれか一方となる。
【００３４】
各切換スイッチ４８、５０、５２、５４の出力信号は、増幅手段、例えば増幅器８４、８６、８８、９０及び直流阻止コンデンサ９２、９４、９６、９８の直列回路を介して各出力端子２２、２４、２６、２８に供給されている。
【００３５】
各切換スイッチ４８、５０、５２、５４と切換回路６８との制御は、各切換スイッチ４８、５０、５２、５４に対応して設けられた制御手段、例えば比較回路１００、１０２、１０４、１０６が互いに独立して行う。
【００３６】
比較回路１００に、同軸ケーブル３０を介してＣＳデジタルチューナ４０から供給される直流電圧が出力端子２２から高周波阻止コイル１０８を介して供給される。この直流電圧は、＋１１Ｖまたは＋１５Ｖであり、これらいずれかの電圧が供給される場合と、供給されない場合とがある。また、この直流電圧に重畳されて、出力端子２２にＣＳデジタルチューナ４０から供給されるパルス信号が、直流阻止コンデンサ１１０を介して比較回路１００に供給される。このパルス信号も供給される場合と、供給されない場合とがある。これら直流電圧とパルス信号とが制御信号として機能する。
【００３７】
比較回路１００は、直流電圧が供給されているか否かによって、切換スイッチ４８の接触子４８ｃを制御し、直流電圧が供給されていないとき、接触子４８ｃを接点４８ａに接触させ、第１混合信号（ＢＳ−ＩＦ信号、１１０度ＣＳ−ＩＦ信号、ＵＨＦ帯テレビジョン放送信号及びＶＨＦ帯テレビジョン放送信号の混合信号）を出力させる。また、直流電圧が供給されているとき（その値が＋１１Ｖであっても、＋１５Ｖであっても）、接触子４８ｃを接点４８ｂに接触させ、混合器５６からの第２混合信号（ＵＨＦ帯及びＶＨＦ帯テレビジョン放送信号、ＢＳ−ＩＦ信号と、Ｊ３−Ｖ・ＣＳ−ＩＦ信号、Ｊ３−Ｈ・ＣＳ−ＩＦ信号、Ｊ４−Ｖ・ＣＳ−ＩＦ信号及びＪ４−Ｈ・ＣＳ−ＩＦ信号のうちいずれか選択された１つとを混合したもの）を出力する。
【００３８】
また、比較回路１００は、直流電圧の値とパルス信号との組合せに応じて、切換回路６８を制御し、混合器５６に供給される信号を、Ｊ３−Ｖ・ＣＳ−ＩＦ信号、Ｊ３−Ｈ・ＣＳ−ＩＦ信号、Ｊ４−Ｖ・ＣＳ−ＩＦ信号及びＪ４−Ｈ・ＣＳ−ＩＦ信号のうちいずれか１つとする。例えば直流電圧が＋１１Ｖでパルス信号が無い場合には、Ｊ３−Ｖ・ＣＳ−ＩＦ信号を混合器５６に出力させる。直流電圧が＋１５Ｖでパルス信号がない場合には、Ｊ３−Ｈ・ＣＳ−ＩＦ信号を混合器５６に出力させる。直流電圧が＋１１Ｖでパルス信号が有る場合には、Ｊ４−Ｖ・ＣＳ−ＩＦ信号を混合器５６に出力させる。直流電圧が＋１５Ｖでパルス信号が有る場合には、Ｊ４−Ｈ・ＣＳ−ＩＦ信号を混合器５６に出力させる。なお、直流電圧が供給されていない場合、切換回路６８は、混合器５６には出力信号を出力しない。即ち、直流電圧が供給されているとき、その直流電圧の大きさの相違に基づいて出力するＣＳ−ＩＦ信号の偏波を切り換え、パルス信号の有無に基づいてＣＳ−ＩＦ信号の元となる通信衛星を切り換えている。
【００３９】
他の比較回路１０２、１０４、１０６も、出力端子２４、２６、２８から高周波阻止コイル１１２、１１４、１１６を介して直流電圧が供給され、直流阻止コンデンサ１１８、１２０、１２２を介してパルス信号が供給され、比較回路１００と同様に、切換回路６８を制御して、混合器５８、６０、６２に供給される信号を、Ｊ３−Ｖ・ＣＳ−ＩＦ信号、Ｊ３−Ｈ・ＣＳ−ＩＦ信号、Ｊ４−Ｖ・ＣＳ−ＩＦ信号及びＪ４−Ｈ・ＣＳ−ＩＦ信号のうちいずれか１つとする。この制御は、互いに独立して行われ、例えば出力端子２２に＋１１Ｖのみ供給されている場合には、Ｊ３−Ｖ・ＣＳ−ＩＦ信号が混合器５６に供給され、出力端子２４に＋１１Ｖとパルス信号とが供給されている場合には、混合器５８にはＪ４−Ｖ・ＣＳ−ＩＦ信号が供給される。
【００４０】
このように、この衛星信号受信システムは構成してあるので、例えば出力端子２２に直流電圧もパルス信号も供給されていないとき、切換スイッチ４８の接触子４８ｃが接点４８ａに切り換えられ、図３（ａ）に示すように、出力端子２２には、地上波ＶＨＦ帯、ＵＨＦ帯テレビジョン放送信号、ＢＳ−ＩＦ信号及び１１０度ＣＳ−ＩＦ信号が出力され、これが同軸ケーブル３０を介して端末端子３２に供給される。
【００４１】
出力端子２２に＋１１Ｖの直流電圧のみが供給されているとき、切換スイッチ４８の接触子４８ｃが接点４８ｂに切り換えられ、かつ切換回路６８は混合器５６にＪ３−Ｖ・ＣＳ−ＩＦ信号を出力する。従って、混合器５６からの第２混合信号は、地上波ＶＨＦ帯、ＵＨＦ帯テレビジョン放送信号、ＢＳ−ＩＦ信号及びＪ３−Ｖ・ＣＳ−ＩＦ信号の混合信号となり、これが切換スイッチ４８の接点４８ｂに供給されているので、出力端子２２には、第２の混合信号である地上波ＶＨＦ帯、ＵＨＦ帯テレビジョン放送信号、ＢＳ−ＩＦ信号及びＪ３−Ｖ・ＣＳ−ＩＦ信号が、図３（ｂ）に示すように出力される。
【００４２】
出力端子２２に＋１５Ｖの直流電圧のみが供給されているとき、切換スイッチ４８の接触子４８ｃが接点４８ｂに切り換えられ、かつ切換回路６８は混合器５６にＪ３−Ｈ・ＣＳ−ＩＦ信号を出力する。従って、混合器５６からの第２混合信号は、地上波ＶＨＦ帯、ＵＨＦ帯テレビジョン放送信号、ＢＳ−ＩＦ信号及びＪ３−Ｈ・ＣＳ−ＩＦ信号の混合信号となり、これが切換スイッチ４８の接点４８ｂに供給されているので、出力端子２２には、第２の混合信号である地上波ＶＨＦ帯、ＵＨＦ帯テレビジョン放送信号、ＢＳ−ＩＦ信号及びＪ３−Ｈ・ＣＳ−ＩＦ信号が、図３（ｃ）に示すように出力される。
【００４３】
出力端子２２に＋１１Ｖの直流電圧とパルス信号とが供給されているとき、切換スイッチ４８の接触子４８ｃが接点４８ｂに切り換えられ、かつ切換回路６８は混合器５６にＪ４−Ｖ・ＣＳ−ＩＦ信号を出力する。従って、混合器５６からの第２混合信号は、地上波ＶＨＦ帯、ＵＨＦ帯テレビジョン放送信号、ＢＳ−ＩＦ信号及びＪ４−Ｖ・ＣＳ−ＩＦ信号の混合信号となり、これが切換スイッチ４８の接点４８ｂに供給されているので、出力端子２２には、第２の混合信号である地上波ＶＨＦ帯、ＵＨＦ帯テレビジョン放送信号、ＢＳ−ＩＦ信号及びＪ４−Ｖ・ＣＳ−ＩＦ信号が、図３（ｄ）に示すように出力される。
【００４４】
出力端子２２に＋１５Ｖの直流電圧とパルス信号とが供給されているとき、切換スイッチ４８の接触子４８ｃが接点４８ｂに切り換えられ、かつ切換回路６８は混合器５６にＪ４−Ｈ・ＣＳ−ＩＦ信号を出力する。従って、混合器５６からの第２混合信号は、地上波ＶＨＦ帯、ＵＨＦ帯テレビジョン放送信号、ＢＳ−ＩＦ信号及びＪ４−Ｈ・ＣＳ−ＩＦ信号の混合信号となり、これが切換スイッチ４８の接点４８ｂに供給されているので、出力端子２２には、第２の混合信号である地上波ＶＨＦ帯、ＵＨＦ帯テレビジョン放送信号、ＢＳ−ＩＦ信号及びＪ４−Ｈ・ＣＳ−ＩＦ信号が、図３（ｅ）に示すように出力される。
【００４５】
他の出力端子２４、２６、２８においても、同様に制御が行われる。この直流電圧及びパルス信号は、ＣＳデジタルチューナ４０から供給されている。直流電圧を供給する関係上、２分配器３４は通電型である。なお、各コンバータ８ａ、１２ａ、１２ｂを動作させるための直流電圧が、図示しない電源部から高周波阻止コイル１２４、１２６、１２８、１３０、１３２、入力端子６、１４、１６、１８、２０を介してこれらコンバータ８ａ、１２ａ、１２ｂに供給される。
【００４６】
第１の実施形態では、第１の混合信号の生成を、衛星信号切換装置２の外部で行い、第１混合信号を衛星信号切換装置２に供給したが、図４に示す第２の実施形態のように、衛星信号切換装置２ａに、コンバータ８ａからＢＳ−ＩＦ信号と１１０度ＣＳ−ＩＦ信号とを供給し、更に、衛星信号切換装置２ａに地上波ＵＨＦ帯及びＶＨＦ帯テレビジョン放送信号も供給し、衛星信号切換装置２ａ内で混合器４によって第１混合信号を生成することもできる。なお、衛星信号切換装置２ａの他の構成は、第１の実施形態の衛星信号切換装置２と同一である。
【００４７】
上記の両実施形態では、地上波ＵＨＦ帯及びＶＨＦ帯テレビジョン放送信号も受信可能としたが、場合によっては、これらを除去することもできる。また、これらに代えて、或いはこれらに加えて共同受信システムにおける自主放送信号を使用することもできる。また、上記の実施形態では、増幅器８４、８６、８８、９０を切換スイッチ４８、５０、５２、５４の出力側に設けたが、場合によってはこれら増幅器８４、８６、８８、９０を除去することもできるし、或いは、各直流阻止コンデンサ４２、６７、７０、７２、７４の後段側に設けることもできる。また、上記の両実施形態では、複数の出力端子２２、２４、２６、２８を設けたが、１個だけ出力端子を設けることもできる。また、上記の実施の形態では、Ｊ３−Ｖ・ＣＳ−ＩＦ信号、Ｊ３−Ｈ・ＣＳ−ＩＦ信号、Ｊ４−Ｖ・ＣＳ−ＩＦ信号、Ｊ４−Ｈ・ＣＳ−ＩＦ信号のうち１つを選択するために、切換回路６８を設けたが、これら各ＣＳ−ＩＦ信号のうち１つだけを出力することもできる。その場合、切換回路６８は不要で、出力するＣＳ−ＩＦ信号を各混合器５６、５８、６０、６２に供給すればよい。
【図面の簡単な説明】
【００４８】
【図１】本発明の第１の実施形態の衛星通信切換装置のブロック図である。
【図２】図１の衛星通信切換装置を使用した衛星通信受信システムのブロック図である。
【図３】図１の衛星通信切換装置の動作説明図である。
【図４】本発明の第２の実施形態の衛星通信切換装置の一部のブロック図である。
【符号の説明】
【００４９】
６  入力端子（第１入力端子）
１４、１６、１８、２０  入力端子（第２入力端子）
４８  切換スイッチ（第１選択手段）
５６  混合器（混合手段）
６４  ＬＰＦ（抽出手段）
６８  切換回路（第２選択手段）
１００  １０２  １０４  １０６  比較回路（制御手段）
【図１】
2008034933.tif 000003
【図２】
2008034933.tif 000004
【図３】
2008034933.tif 000005
【図４】
2008034933.tif 000006